(57)【要約】【課題】解決しようとする問題点は、バッグをたすき掛けしても、使用者の負担が軽減できない点である。【解決手段】バッグ本体１４と、両端部がそれぞれバッグ本体１４の一方の側面の下部側に固定され、バッグ本体の重量を受ける固定部１１ｃ、１１ｄを有し、該固定部以外の部分ではバッグ本体１４と離間してアーチ状に設けられ、使用者の首が挿通されて肩掛けされるたすき掛け用提げ紐１１と、両端部がバッグ本体１４とたすき掛け用提げ紐１１の中途部にそれぞれ固定されて、たすき掛け用提げ紐１１とバッグ本体１４とを連結する２つの連結部１３ａ、１３ｂとを有することを特徴とする。【選択図】図３
2005168900.tif 000002
【特許請求の範囲】
【請求項１】
バッグ本体と、
両端部がそれぞれバッグ本体の一方の側面の下部側に固定され、バッグ本体の重量を受ける固定部を有し、該固定部以外の部分ではバッグ本体と離間してアーチ状に設けられ、使用者の首が挿通されて肩掛けされるたすき掛け用提げ紐と、
両端部がバッグ本体と前記たすき掛け用提げ紐の中途部にそれぞれ固定されて、たすき掛け用提げ紐とバッグ本体とを連結する２つの連結部とを有することを特徴とするバッグ。
【請求項２】
バッグ本体の、たすき掛け用提げ紐が設けられた側の反対側の側面には、アーチ状に設けられて、使用者の他方の肩に掛けられる肩掛け用提げ紐が設けられていることを特徴とする請求項１記載のバッグ。
【請求項３】
前記バッグ本体は、凹の字状の面を有する両側面部が、帯状のマチ部によって連結されてケース型に形成され、使用者は、バッグ本体の上部に形成された凹部内に腕を通過させて携行することを特徴とする請求項１または２記載のバッグ。
【請求項４】
前記バック本体のたすき掛け用提げ紐が設けられる側の側面には、手持ち用紐が設けられ、使用者がバッグを携行する際には、バッグ本体に近い方の手を上方に挙げて前記手持ち用紐を把持することにより、バッグ本体を身体に引き寄せ可能に設けられていることを特徴とする請求項１記載のバッグ。
【発明の詳細な説明】
【技術分野】
【０００１】
本発明は、バッグに関し、詳しくはたすき掛けして携行するバッグに関するものである。
【背景技術】
【０００２】
内部に物を収納して携行するバッグには、様々な形態のものがあるが、例えば、長短２つの提げ紐を設けたショルダーバッグがある（例えば、特許文献１）。これは、長い提げ紐を使用者の一方の肩にたすき掛けして、短い提げ紐を他方の肩に掛けて用いることにより、かばんの重量が両肩に平均化されるので負担が軽くなり、携行しやすくなるというものである。
【０００３】
しかしながら、上記構成によるバッグは、携行する際に２つの提げ紐から下方にぶら下がる収納部が大きく不安定に動くので、収納部の大きい大型のバッグの場合、かえって身体に無理な負担を強いるものとなっていた。また、大型のバッグの場合、収納部に物を入れると重量も重くなることが多いが、長短２つの提げ紐が収納部の上部に固定されて延出されている上記ショルダーバッグの場合、たすき掛けした提げ紐が収納部に引っ張られて使用者の首に食い込むので、大きな負担となっていた。
【０００４】
【特許文献１】実開昭６１−７３２２８号公報
【発明の開示】
【発明が解決しようとする課題】
【０００５】
解決しようとする問題点は、バッグをたすき掛けしても、使用者の負担が軽減できない点である。
【課題を解決するための手段】
【０００６】
本発明のバッグは、バッグ本体と、両端部がそれぞれバッグ本体の一方の側面の下部側に固定され、バッグ本体の重量を受ける固定部を有し、該固定部以外の部分ではバッグ本体と離間してアーチ状に設けられ、使用者の首が挿通されて肩掛けされるたすき掛け用提げ紐と、両端部がバッグ本体と前記たすき掛け用提げ紐の中途部にそれぞれ固定されて、たすき掛け用提げ紐とバッグ本体とを連結する２つの連結部とを有することを特徴とする。
【０００７】
また、バッグ本体の、たすき掛け用提げ紐が設けられた側の反対側の側面には、アーチ状に設けられて、使用者の他方の肩に掛けられる肩掛け用提げ紐が設けられていることを特徴とする。
また、前記バッグ本体は、凹の字状の面を有する両側面部が、帯状のマチ部によって連結されてケース型に形成され、使用者は、バッグ本体の上部に形成された凹部内に腕を通過させて携行することを特徴とする。
また、前記バック本体のたすき掛け用提げ紐が設けられる側の側面には、手持ち用紐が設けられ、使用者がバッグを携行する際には、バッグ本体に近い方の手を上方に挙げて前記手持ち用紐を把持することにより、バッグ本体を身体に引き寄せ可能に設けられていることを特徴とする。
【発明の効果】
【０００８】
本発明のバッグによると、バッグ本体が大型のものであっても使用者の負担を減らして、無理無く携行することができる。
【発明を実施するための最良の形態】
【０００９】
最良の実施形態として、介護用ベッドを複数の部材に分解したものをそれぞれ収納し、運搬するためのバッグを挙げて説明する。
最近は、介護用ベッド、車椅子等の福祉用具は、身体の状態等に応じて手軽に交換できるレンタルが多く使用されている。
しかしながら介護用ベッドは大型であるので、レンタルの際の運搬や保管の手間を考慮して解体、組立が繰り返し可能なように設けられており、解体されて生じた複数の部材はそれぞれバッグに収納されて運搬や保管がなされる。
【００１０】
図１は、介護用ベッドの部材を収納し、運搬する際に使用されるベッド用バッグ１０の一例を左斜め前側からみた際の斜視図である。図２はこのベッド用バッグ１０を右斜め後側からみた際の斜視図であり、図３、図４及び図５はこのベッド用バッグ１０を携行する際の状態を示す概略図である。
図に示されるバッグ１０は、介護用ベッドの長手方向の端部に取り付けられるヘッドボード、フッドボード等のベースを運搬、保管するためのものである。例えば、このバッグの本体の大きさは、縦６８×横１３５×厚さ２５（ｃｍ）で、ベッド用バッグの本体は比較的大きく、従来持ち運びが容易にできなかった。そこで、本発明者は、大きなバッグ本体を有するバッグであっても、使用者に負担をかけることなく、持ち運びが容易なバッグを発明するに至った。
尚、説明にあたって、バッグに前後左右の区別をつけている。
【００１１】
ベッド用バッグ１０は、図３に示されるようにバッグ本体１４を使用者５０の側方で身体に沿わせて配置し、使用者５０の身体に近い方の提げ紐１１をたすき掛けし、反対側の提げ紐１２をバッグ本体１４に近い方の肩に掛けて使用するものである。
【００１２】
ベッド用バッグ１０の本体は、図１、図２に示されるように介護用ベッドの部材が収納可能な形状に形成された収納部１４となっており、例えば、ヘッドボード等のベースを収納するバッグ１０の場合は、収納部１４は直方体のケース型に形成される。具体的には、収納部１４は、同一形状からなる左右の両側面部が、平面形状長方形の板状に形成されて、帯状のマチ部４０によって連結されて直方体状となっている。マチ部４０は、収納部の前面４１、上面４３、背面４２及び底面４４を形成する。
さらに、収納部１４には、前面４１、上面４３及び背面４２の３つの面で、１続きに開口する開口部１５が形成されており、１つのファスナー１５ａが開口部１５にコ字状に設けられて開閉自在となっている。従って、収納部１４は、ファスナー１５ａをその一端部から他端部まで開いて開口部１５を開放した際には、内面を外方に露出して左右側面部が底部によって連結された状態の平面状に開かれる。
【００１３】
上記形状の収納部１４は、図９の断面図に示されるような、表面材３１、内装緩衝材３２及び内装材３３が積層されて形成されるシート材３０からなる。収納部１４において表側に露出する表面材３１としては、ナイロン合成繊維が好適であり、これにアクリルコーティングを施してもよい。表面材３１と内装材３３の間に介装される内装緩衝材３２としては、発泡ポリウレタンが好適である。また、内装材３３としては、ナイロン、或いはポリエステルが好適であり、これに抗菌防臭や制菌加工を施してもよい。
レンタル用ベッドの運搬、保管に使用されるバッグ１０は、各部材がオゾン・イオン燻蒸法による殺菌消毒に耐えられる材料からなると好適であり、上述した材料は、オゾン・イオン燻蒸法による殺菌消毒に耐え得る材料として適している。
【００１４】
同一の材質からなるバンド状の提げ紐１１、１２は、それぞれ両端部が収納部１４に固定されて、上方に曲折部を有するアーチ状に設けられている。
そして、収納部１４の左側に配設されるたすき掛け用提げ紐１１と、収納部の右側に配設される肩掛け用提げ紐１２は、収納部１４の底面４４側で端部同士が接続されて、リング状に一体となって収納部１４の底面４４に縫着によって固定されている。
肩掛け用提げ紐１２の両端部側は、右側面４６に沿う部分全体が、右側面４６に縫着されている（図２参照）。つまり、肩掛け用提げ紐１２は、両端部側がそれぞれ、右側面４６の下端から上端にわたって右側面４６に固定され、アーチ状に収納部１４の上方へ延出している。そして、肩掛け用提げ紐１２は、収納部１４を使用者５０の側方に配置した状態で肩掛け可能に、収納部１４の大きさを考慮して収納部１４から上方へ伸びる部分の長さが設定される。或いは、この部分の長さが調節可能となるように、提げ紐１２の中途に金属製又はプラスチック製の長さ調節部（図示せず）を設けてもよい。
【００１５】
提げ紐１１、１２と同一の材質からなるバンド状の手持ち用紐１６（図２参照）は、前側の肩掛け用提げ紐１２ａから後側の提げ紐１２ｂへ掛け渡されて右側面に沿い、底面４４に対しては略平行に配設されている。そして、手持ち用紐１６は、両端部が収納部の右側面４６に縫着によって固定され、両端部間は右側面４６に対して固定されずに使用者が把持可能となっている。
【００１６】
たすき掛け用提げ紐１１は、両端部が底面４４の前側と後側にそれぞれ縫着される以外は、収納部とは直接固着されずに、離間してフリーの状態となっている（図１参照）。つまり、両端部がそれぞれ収納部１４の一方の側面（左側面４５）の下部側（この場合、底面４４）に固定されてたすき掛け用提げ紐１１の固定部１１ｃ、１１ｄが形成され、たすき掛け用提げ紐１１は、この固定部以外の部分では、収納部１４から離間して収納部１４の左側へ、アーチ状に設けられている。これにより、固定部１１ｃ、１１ｄで収納部１４の重量を受けることが可能となっている。
そして、たすき掛け用提げ紐１１は、収納部１４を使用者の側方に沿わせた状態で、反対側の肩にたすき掛け可能に、収納部１４の大きさを考慮してアーチ状に伸びた部分の長さが設定される。或いは、この部分の長さが調節可能となるように、提げ紐１１の中途に金属製又はプラスチック製の長さ調節部４７を設けてもよい。
【００１７】
また、図１において１３ａ、１３ｂは、たすき掛け用提げ紐１１と収納部１４とを連結する連結部であり、提げ紐と同一の材質でバンド状に形成されて面を上下方向に向けて配設されている。連結部１３ａは収納部１４の前側で、連結部１３ｂは後側で、一端部が左側面４５に、他端部が提げ紐１１の中途部にそれぞれ縫着によって固定されている。
【００１８】
ベッド用バッグ１０の構成を概略説明したところで、次に使用者５０がバッグ１０を携行するときの状態と合わせてさらに構成を詳しく説明する。
使用者５０は、肩掛け用提げ紐１２よりもたすき掛け用提げ紐１１の方が身体の近くに位置するように、収納部１４の左側面４５を身体の右側方に沿わせる。この状態で、使用者５０は、たすき掛け用提げ紐１１に首を挿通して左肩に掛けてたすき掛けし（図５参照）、右肩に肩掛け用提げ紐１２を掛けてバッグ１０を携行する（図４参照）。また、必要によっては、手持ち用紐１６を右手で握ってもよい。
【００１９】
図３は、底面４４を略水平にし、側面を略垂直にして使用者５０がバッグを携行している状態を正面側から見た際の模式図であり、図８は、この際の左側面４５とたすき掛け用提げ紐１１の状態を示す模式図である。収納部１４の重量によって、肩掛け用提げ紐１２は、右肩の肩掛け位置５２を頂点として前後に分けられて引っ張られ、肩掛け位置５２から収納部上部にわたって真っ直ぐにそれぞれ延びる。
また、たすき掛け用提げ紐１１も、同様に、左肩のたすき掛け位置５１から前側固定部１１ｃ、後側固定部１１ｄまで、それぞれ引っ張られて真っ直ぐに延び、図８に示されるようなたすき掛け位置５１と前後固定部１１ｃ、１１ｄを頂点とする三角形状となる。そして、２つの連結部１３ａ、１３ｂは、身体の前側、後側にそれぞれ位置して、２つの提げ紐１１、１２の上記状態を妨げることなく所定の高さ（例えば、連結部１３ａと連結部１３ｂは底面４４に対して同じ高さｈ）において提げ紐１１と収納部１４とを最短距離で連結する（図３参照）。つまり、底面４４を略水平にして携行した際には、連結部１３ａ、１３ｂも略水平に張られる。
【００２０】
連結部１３ｂは連結部１３ａと同様に考えられるので、図３を用いて前側の連結部１３ａを挙げてさらに具体的に説明する。
図３の平面図で、位置Ｐ、たすき掛け位置５１及び固定部１１ｃの位置を頂点とする直角三角形ができ、さらに連結部１３ａの両端部１３ｄ、１３ｅと、固定部１１ｃとを頂点とする直角三角形ができる。ここで位置Ｐは、肩掛け位置５２から収納部１４の厚さｍ分だけたすき掛け位置５１側に移動した位置である。
上記２つの三角形は、相似関係にあるとみなせるので、連結部１３ａの、固定部１１ｃ（ここでは底面４４）を基準とする高さｈが決まれば、連結部１３ａに必要な長さｓが決定される。このとき、肩掛け位置５２からたすき掛け位置５１までの距離ｅとして、平均的な値２６ｃｍを用いることができる。
【００２１】
図６は、ベッド用バッグの他の実施形態を示す概略図である。収納部１４は、直方体形状の上部略中央に凹部１７が設けられて左右の両側面の形状が凹の字状に形成されている。すなわち、収納部１４は、同一形状の両側面部が、平面形状凹の字状の板状に形成され、帯状のマチ部４０によって連結されてケース型に形成されている。これは主に、介護用ベッドのフレームを運搬、保管するために使用されるバッグ２０であり、フレームの形状にならった形となっている。
【００２２】
この場合も、前記実施形態と同様の肩掛け用提げ紐２２、たすき掛け用提げ紐２１、連結部（図示せず）及び手持ち用紐２６を設けることができる。そして、特徴的なことは、携行する際には使用者が収納部１４の側方から凹部１７内に腕を通過させる点である。従って、たすき掛け用提げ紐２１の２つの固定部は、凹部１７より収納部の前側、後側にそれぞれ寄った位置の、左側面４５の下部側（例えば底面４４）に設けられ、肩掛け用提げ紐２２は、収納部の右側面４６内でコ字状に形成されて、凹部１７を跨ぐ部分２２ａを除いた全体が、右側面４６に縫着されて固定されている。さらに肩掛け用提げ紐２２の両端部が底面４４側に延びて、そこで固定されていてもよい。勿論、この際は、前述のバッグ１０同様、提げ紐２１、２２の両端部がそれぞれ収納部１４の底面４４側で接続されて、リング状に一体となって底面４４に縫着し固定されていてもよい。
これにより、使用者は、前述と同様、たすき掛け用提げ紐２１をたすき掛けし、肩掛け用提げ紐２２の凹部１７を跨ぐ部分２２ａを肩に掛けてバッグを携行することができる。
【００２３】
図７は、ベッド用バッグの３つ目の実施形態を示す概略図である。
ベッド用バッグ２３は、縦方向に長い直方体状の大型の収納部１４を有し、主に介護用ベッドのマットレスを収納して、運搬するバッグとして使用される。
たすき掛け用提げ紐２１は、両端部が左側面４５の下部側（例えば底面４４）に固定部１１ｃ、１１ｄを有して固定され、アーチ状に収納部１４の左側方に延設されている。そして、上記実施形態と同様に連結部１３ａ、１３ｂが収納部１４とたすき掛け用提げ紐２１を連結している。
３６はバンド状の手持ち用紐であり、たすき掛け用提げ紐２１の配設されている左側面４５の上部側で左側面に沿い、底面４４に対して略平行に固定されている。手持ち用紐３６は、両端部が左側面の前側と後側でそれぞれ縫着によって固定され、両端部間は左側面に固定されずに、使用者が把持可能となっている。
【００２４】
このような構成のバッグを携行する際には、図のように収納部１４を使用者５０の右側方に配置し、左側の肩でたすき掛け用提げ紐２１をたすき掛けする。すると、収納部１４は縦方向に長いので、収納部１４の上面４３が使用者５０の頭よりも上方に位置する。そこで、右手５３を上方に挙げて手持ち用紐３６を握ることにより、収納部１４を身体に引き寄せてバッグ２３の位置を安定させて携行することができる。
【００２５】
３つの実施形態に示される本発明のバッグによると、たすき掛け用提げ紐をたすき掛けすることによって、収納部の下部側の固定部でバッグ本体の重量を受けることができるので、携行する際に使用者が歩いても収納部が大きく揺れることがなく位置が安定して、使用者に大きな負担をかけることがなく動きやすくなる。また、連結部によって収納部とたすき掛け用提げ紐が連結されるているので、さらに収納部の揺れを抑えてその位置を安定させることができる。また、手持ち用紐を握ることによっても、収納部を身体側に引き寄せて安定させることができる。
さらに、肩掛け用提げ紐を用いれば、バッグ本体の重量を両肩に分けることができ、負担が軽くなる。
また、たすき掛け用提げ紐１１は、収納部の上部側で固定されていないので、収納部の上部側で引っ張られて使用者の首に食い込むことがない。
【００２６】
尚、バッグについて左右区別して説明したが、バッグを携行する際には、使用者の右側、左側どちらにバッグ本体を配置して、どちらの肩にたすき掛けしてもよく、使用者の利き腕に従って自由に選択できるのは勿論である。
また、たすき掛け用提げ紐と連結部があれば、収納部を身体に引き寄せて保持することができるので、肩掛け用提げ紐はなくてもよい。
さらに、２つの連結部の設けられる高さｈは異なってもよい。
【図面の簡単な説明】
【００２７】
【図１】バッグの左側の斜視図である。
【図２】バッグの右側の斜視図である。
【図３】バッグを携行している人を正面側から見た際の模式図である。
【図４】バッグを携行している人を右側方から見た際の概略図である。
【図５】バッグを携行している人を左側方から見た際の概略図である。
【図６】バッグの他の実施形態を示す概略図である。
【図７】バッグの他の実施形態を示す概略図である。
【図８】携行する際の左側面とたすき掛け用提げ紐の状態を示す模式図である。
【図９】シート材の断面図である。
【符号の説明】
【００２８】
１０、２０、２３  ベッド用バッグ
１１  たすき掛け用提げ紐
１２  肩掛け用提げ紐
１３ａ、１３ｂ  連結部
１４  収納部
１５  開口部
１５ａ  ファスナー
１６  手持ち用紐
１７  凹部
２１  たすき掛け用提げ紐
２２  肩掛け用提げ紐
３０  シート材
３１  表面材  
３２  内装緩衝材
３３  内装材
３６  手持ち用紐
４０  マチ部
４１  前面
４２  背面
４３  上面
４４  底面
４５  左側面
４６  右側面
４７  長さ調節部
５０  使用者
５１  たすき掛け位置
５２  肩掛け位置
５３  右手
【図１】
2005168900.tif 000003
【図２】
2005168900.tif 000004
【図３】
2005168900.tif 000005
【図４】
2005168900.tif 000006
【図５】
2005168900.tif 000007
【図６】
2005168900.tif 000008
【図７】
2005168900.tif 000009
【図８】
2005168900.tif 000010
【図９】
2005168900.tif 000011